(57)【要約】      （修正有）【課題】随時どこでも水素水を飲用でき、利便性が向上する落蓋式水素発生装置を提供する。【解決手段】落蓋式水素発生装置は、落蓋１０及び少なくとも１つの電解ユニット１１を備える。これら電解ユニット１１は落蓋１０に接合され、電解反応を発生させるために用いられ、且つ落蓋１０にはこれら電解ユニット１１に電気的に接続される給電ユニット１２が設置され、これら電解ユニット１１の動作に必要な電力を供給する。使用者が本考案を飲用水が入れられた容器に結合させた後、容器内の水は電解反応を経て水素及び酸素を発生させる。【選択図】図１
0003203461.tif 000002
【実用新案登録請求の範囲】
【請求項１】
落蓋及び少なくとも１つの電解ユニットを備え、前記電解ユニットは前記落蓋に接合され、電解反応を発生させるために使用され、且つ前記落蓋には前記電解ユニットに電気的に接続される給電ユニットが設置され、前記電解ユニットの動作に必要な電力を供給することを特徴とする、
落蓋式水素発生装置。
【請求項２】
前記給電ユニットは電源コードにより外部電源に接続されて充電を行うことを特徴とする、請求項１に記載の落蓋式水素発生装置。
【請求項３】
前記落蓋には無線充電ユニットが更に設置され、且つ前記無線充電ユニットは前記給電ユニットに電気的に接続されると共に前記無線充電ユニットにより無線充電を行うことを特徴とする、請求項１に記載の落蓋式水素発生装置。
【請求項４】
前記電解ユニットは伸縮式または折り畳み式の内の何れか１つであることを特徴とする、請求項１に記載の落蓋式水素発生装置。
【請求項５】
前記電解ユニットを係合させる少なくとも１つの係合部材が前記落蓋の内側に更に設置されることを特徴とする、請求項４に記載の落蓋式水素発生装置。
【請求項６】
前記落蓋の下方には瓶の口を有するボトルが連結されることを特徴とする、請求項１に記載の落蓋式水素発生装置。
【請求項７】
前記落蓋の内側の壁の箇所にはねじ山が更に設置され、前記落蓋は前記ねじ山及び前記瓶の口に設けられる対応するねじ山により螺接されることを特徴とする、請求項６に記載の落蓋式水素発生装置。
【請求項８】
前記落蓋の形状は円形、方形或いは多辺形の内の何れか１つであることを特徴とする、請求項１に記載の落蓋式水素発生装置。
【請求項９】
前記落蓋にはチューブが挿設される孔部が更に設けられ、使用者が液体及び気体を吸うために使用されることを特徴とする、請求項１乃至８の何れか１項に記載の落蓋式水素発生装置。
【請求項１０】
処理ユニット及び操作インターフェースユニットが前記落蓋に更に設置され、前記処理ユニットは前記操作インターフェースユニット、前記電解ユニット及び前記給電ユニットにそれぞれ電気的に接続され、前記操作インターフェースユニットは使用者が設定を行うために使用されると共に制御信号を前記処理ユニットに伝送させ、前記処理ユニットにより前記制御信号伝が前記電解ユニット及び前記給電ユニットに伝送され、前記電解ユニット及び前記給電ユニットが使用者の設定に基づいて作用を行うことを特徴とする、請求項１、２または３に記載の落蓋式水素発生装置。
【請求項１１】
前記落蓋に設置される切換ユニットを更に有し、且つ前記切換ユニットは前記給電ユニット、前記処理ユニット及び前記電解ユニットにそれぞれ電気的に接続され、且つ前記切換ユニットにより前記処理ユニットが伝送させる制御信号に基づいて前記電解ユニットの電気性を切り換えることを特徴とする、請求項１０に記載の落蓋式水素発生装置。
【請求項１２】
前記処理ユニットに電気的に接続されるＬＥＤ発光ユニットが前記落蓋に更に設置されることを特徴とする、請求項１０に記載の落蓋式水素発生装置。
【考案の詳細な説明】
【技術分野】
【０００１】
本考案は、電解ユニットが落蓋に設置され、携帯して使用するのに便利な落蓋式水素発生装置に関する。
【背景技術】
【０００２】
近年、水素（Ｈｙｄｒｏｇｅｎ）治療により疾病を治療する医学方法が数多く研究されており、医学及び保険分野に広く運用されてその有効性を証明している。少量の水素を摂取するか、水素を含有する生理用食塩水或いは飽和水素水を注射することで、体内に進入した水素が選択的に抗酸化作用を発生させ、毒性を有する遊離基を中和させて、糖尿病、器官の損傷、脳卒中、損傷の放射線治療、老年性痴呆症、脳梗塞、高血圧、癌等の様々な疾病の症状を改善させる。
【考案の概要】
【考案が解決しようとする課題】
【０００３】
上述の水素水（Ｈｙｄｒｏｇｅｎ  Ｗａｔｅｒ）とは大量の水素を含有する水のことである。水素水を形成させるため、現在多くの水素水生成装置が開発されており、市場では水素水サーバーとも呼ばれている。水の電解反応により水中で水素を発生させ、水素が水中に溶けて水素水が形成され、水素水を飲用することで水素が体内に進入して作用する。
しかしながら、前述した従来の技術では、水素水サーバーの装置本体が巨大で、且つその多くは固定式或いは卓上型であるため、装設させて固定した後には移動させられなかった。そのため、使用者は自家用とするか、或いは水素水サーバーが設置される場所でのみ水素水を取得して飲用できるものの、いつでもどこでも水素水を取得して飲用することができないため、使用者にとっては相当に不便であった。
【０００４】
そこで、本考案者は上記の欠点が改善可能と考え、鋭意検討を重ねた結果、合理的かつ効果的に課題を改善する本考案の提案に到った。
【０００５】
本考案は、このような従来の問題に鑑みてなされたものである。上記課題解決のため、本考案は、落蓋式水素発生装置を提供することを主目的とする。
本考案の落蓋式水素発生装置は、電解ユニットが落蓋に設置されて携帯して使用できる落蓋式水素発生装置であり、使用者は本考案を水が入った容器の上方に設置させることで、電解ユニットが容器中の水に接触され、これら前記電解ユニットにより水分子が電解反応を経て水素及び酸素に分解され、使用者がいつでもどこでも水素水を飲用できるようになり、利便性を向上させる。
【課題を解決するための手段】
【０００６】
上述した課題を解決し、目的を達成するために、本考案に係る落蓋式水素発生装置は、落蓋及び少なくとも１つの電解ユニットを備える。これら前記電解ユニットは前記落蓋に接合され、電解反応を発生させるために使用され、且つ前記落蓋にはこれら前記電解ユニットに電気的に接続される給電ユニットが設置され、これら前記電解ユニットの動作に必要な電力を供給することを特徴とする。
【０００７】
好ましい実施態様の落蓋式水素発生装置において、前記給電ユニットは電源コードにより外部電源に接続されて充電を行う。
【０００８】
好ましい実施態様の落蓋式水素発生装置において、前記落蓋には無線充電ユニットが更に設置され、且つ前記無線充電ユニットは前記給電ユニットに電気的に接続されると共に前記無線充電ユニットにより無線充電を行う。
【０００９】
好ましい実施態様の落蓋式水素発生装置において、これら前記電解ユニットは伸縮式または折り畳み式の内の何れか１つである。
【００１０】
好ましい実施態様の落蓋式水素発生装置において、これら前記電解ユニットを係合させる少なくとも１つの係合部材が前記落蓋の内側に更に設置される。
【００１１】
好ましい実施態様の落蓋式水素発生装置において、前記落蓋の下方には瓶の口を有するボトルが連結される。
【００１２】
好ましい実施態様の落蓋式水素発生装置において、前記落蓋の内側の壁の箇所にはねじ山が更に設置され、前記落蓋は前記ねじ山及び前記瓶の口に設けられる対応するねじ山により螺接される。
【００１３】
好ましい実施態様の落蓋式水素発生装置において、前記落蓋の形状は円形、方形或いは多辺形の内の何れか１つである。
【００１４】
好ましい実施態様の落蓋式水素発生装置において、前記落蓋にはチューブが挿設される孔部が更に設けられ、使用者が液体及び気体を吸うために使用される。
【００１５】
好ましい実施態様の落蓋式水素発生装置において、処理ユニット及び操作インターフェースユニットが前記落蓋に更に設置される。前記処理ユニットは前記操作インターフェースユニット、これら前記電解ユニット及び前記給電ユニットにそれぞれ電気的に接続される。前記操作インターフェースユニットは使用者が設定を行うために使用されると共に制御信号を前記処理ユニットに伝送させ、前記処理ユニットにより前記制御信号伝がこれら前記電解ユニット及び前記給電ユニットに伝送され、これら前記電解ユニット及び前記給電ユニットが使用者の設定に基づいて作用を行う。
【００１６】
好ましい実施態様の落蓋式水素発生装置において、前記落蓋に設置される切換ユニットを更に有し、且つ前記切換ユニットは前記給電ユニット、前記処理ユニット及びこれら前記電解ユニットにそれぞれ電気的に接続される。また、前記切換ユニットにより前記処理ユニットが伝送させる制御信号に基づいてこれら前記電解ユニットの電気性を切り換える。
【００１７】
好ましい実施態様の落蓋式水素発生装置において、上述の落蓋式水素発生装置は、前記処理ユニットに電気的に接続されるＬＥＤ発光ユニットが前記落蓋に更に設置される。
【図面の簡単な説明】
【００１８】
【図１】本考案に係る落蓋式水素発生装置を示す外観斜視図である。
【図２Ａ】本考案に係る落蓋式水素発生装置の電解ユニットが折り畳まれて、収納された第一状態を示す概念図。
【図２Ｂ】本考案に係る落蓋式水素発生装置の電解ユニットが折り畳まれて、収納された第二状態を示す概念図。
【図２Ｃ】本考案に係る落蓋式水素発生装置の電解ユニットが折り畳まれて、収納された第三状態を示す概念図。
【図３Ａ】本考案に係る落蓋式水素発生装置の電解ユニットが伸縮されて、収納された第一状態を示す概念図。
【図３Ｂ】本考案に係る落蓋式水素発生装置の電解ユニットが伸縮されて、収納された第二状態を示す概念図。
【図３Ｃ】本考案に係る落蓋式水素発生装置の電解ユニットが伸縮されて、収納された第三状態を示す概念図。
【図４】本考案の第１実施形態に係る落蓋式水素発生装置を示す図である。
【図５】本考案の第２実施形態に係る落蓋式水素発生装置を示す図である。
【図６】本考案の第３実施形態に係る落蓋式水素発生装置を示す図である。
【図７】本考案の第４実施形態に係る落蓋式水素発生装置を示す図である。
【図８】本考案の第５実施形態に係る落蓋式水素発生装置を示す図である。
【考案を実施するための形態】
【００１９】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【００２０】
図１は本考案に係る落蓋式水素発生装置を示す外観斜視図である。落蓋１０及び少なくとも１つの電解ユニット１１を備え、これら前記電解ユニット１１は前記落蓋１０に接合され、電解反応を発生させ、且つ前記落蓋１０にはこれら前記電解ユニット１１に電気的に接続される給電ユニット１２が設置され、これら前記電解ユニット１１の動作に必要な電力を供給する。
前記給電ユニット１２は電源コード１９（図７参照）により外部電源に接続されて充電を行うか、或いは前記落蓋１０に無線充電ユニット（図示せず）が設置され、且つ前記無線充電ユニットは前記給電ユニット１２に電気的に接続されて、前記給電ユニット１２が前記無線充電ユニットにより無線充電を行う。さらには、前記給電ユニット１２は一般的な電池や充電池でもよく、使用者が本考案を水が入った容器の上方に設置させ、これら前記電解ユニット１１が容器中の水に接触され、これら前記電解ユニット１１により水分子が電解反応を経て水素及び酸素に分解され、水素水或いは高濃度酸素水が形成される。
【００２１】
これら前記電解ユニット１１は長形状或いは板状等の固定式で湾曲できない電極である。しかしながら、使用者が本考案をより携帯しやすくするために、或いは収納することで空間を占拠しないようにするため、これら前記電解ユニット１１は固定式から伸縮式或いは折り畳み式の内の１つの方式に改変される。
また、前記落蓋１０の内側に少なくとも１つの第一連結部材１１３が設置されて（図２Ａ乃至図２Ｃ参照）これら前記電解ユニット１１に枢接され、且つこれら前記電解ユニット１１を係合させるための少なくとも１つの係合部材１４が設置され、これら前記電解ユニット１１が前記落蓋１０内に安定的に結合される。
【００２２】
図２Ａ〜図２Ｃは本考案に係る落蓋式水素発生装置の電解ユニットが折り畳まれて収納された後の第一状態乃至第三状態を各々示す概念図である。これら前記電解ユニット１１は少なくとも１つの段体で構成され、第一連結部材１１３が上端段体部１１１に枢接され、第二連結部材１１４が上端段体部１１１と下端段体部１１２との間に枢設される。
第一連結部材１１３及び第二連結部材１１４は共に導電材質であり、使用者は先ず下端段体部１１２を反対に折って上端段体部１１１と平行に設置させ、上端段体部１１１を枢動させ、上端段体部１１１及び前記落蓋１０が垂直な設置から枢動されることで平行な設置になり、その後、下端段体部１１２をこれら前記係合部材１４に安定的に係合させる。
しかしながら、これら前記電解ユニット１１が一段の段体（下端段体部１１２が無い）のみの場合、これら前記電解ユニット１１は第一連結部材１１３が上端段体部１１１に枢接され、上端段体部１１１が枢動され、上端段体部１１１及び前記落蓋１０が垂直な設置から枢動されることで平行な設置になることで、上端段体部１１１がこれら前記係合部材１４に安定的に係合される。上述は共に折り畳み収納方式により、これら前記電解ユニット１１が前記落蓋１０内に収納される。
【００２３】
また、図３Ａ〜図３Ｃは本考案に係る落蓋式水素発生装置の電解ユニットが伸縮されて収納された後の第一状態乃至第三状態を各々示す概念図であり、これら前記電解ユニット１１は少なくとも１つの段体で構成され、第一連結部材１１３が上端段体部１１１に枢接される。
第一連結部材１１３は導電材質であり、使用者は先ず下端段体部１１２を上端段体部１１１の内部に収納させ、その後、上端段体部１１１を枢動させて、上端段体部１１１及び前記落蓋１０が垂直な設置から枢動されることで平行な設置になる。最後に、上端段体部１１１をこれら前記係合部材１４に安定的に係合させる。このように、先に伸縮された後に折り畳まれる収納方式により、これら前記電解ユニット１１が前記落蓋１０内に収納される。当然ながら、下端段体部１１２が上端段体部１１１の内部に収納されるのみの伸縮式電解ユニットにより、占有する空間を減少させてもよい。
【００２４】
＜実施形態＞
（第１及び第２実施形態）
図４及び図５は本考案の第１実施形態と第２実施形態に係る落蓋式水素発生装置をそれぞれ示す図である。前記落蓋１０の下方には瓶の口２１を有するボトル２０が連結される。前記落蓋１０の内側の壁の箇所にはねじ山１３がさらに設けられ（図１参照）、前記落蓋１０は前記ねじ山１３により前記瓶の口２１の外縁箇所に設けられる対応するねじ山２２に螺接される。
使用者は本考案を対応する大きさの瓶の口２１に緊密に螺接させ、前記ボトル２０内の水の量が少なかったり前記電解ユニット１１の長さが不足する場合、使用者は前記ボトル２０を振るか前記ボトル２０を直接逆さにして置くことで（使用状態は図５に図示する）、これら前記電解ユニット１１が水の底部に直立すると共に水分子に接触され、水分子が水素及び酸素に電解される。このほか、前記落蓋１０の上面には孔部１５が更に設けられ、且つ前記孔部１５にチューブ１６が挿設されて水面下に挿入され、使用者が水及び水中の水素と酸素とを吸うことができるようになる。
【００２５】
（第３実施形態）
図６は本考案の第３実施形態に係る落蓋式水素発生装置を示す図である。本考案には処理ユニット１７及び操作インターフェースユニット１８が前記落蓋１０に更に設置される。前記処理ユニット１７は前記操作インターフェースユニット１８、これら前記電解ユニット１１及び前記給電ユニット１２にそれぞれ電気的に接続され、前記操作インターフェースユニット１８は使用者が設定を行うために使用されると共に制御信号を前記処理ユニット１７に伝送される。
その後、前記処理ユニット１７により前記制御信号がこれら前記電解ユニット１１及び前記給電ユニット１２に伝送され、これら前記電解ユニット１１及び前記給電ユニット１２により使用者の設定に基づいて作用を行う。例えば、使用者は前記操作インターフェースユニット１８により前記給電ユニット１２の給電の有無の制御を行ってこれら前記電解ユニット１１を起動或いは停止させる。または、これら前記電解ユニット１１の動作時間等の多重の設定を行う。
【００２６】
（第４実施形態）
図７は本考案の第４実施形態に係る落蓋式水素発生装置を示す図である。前記落蓋１０の形状は円形以外に、方形或いは任意の多辺形の内の何れか１つであり、且つ水が入った容器と分離式或いは固定式で結合される。このほか、これら前記電解ユニット１１の数量が３つ以上に増加され、水素或いは酸素の発生効率が向上する。また、本考案には切換ユニット（図示せず）が前記落蓋１０に更に設置され、且つ前記切換ユニットは前記給電ユニット１２、前記処理ユニット１７及びこれら前記電解ユニット１１にそれぞれ電気的に接続される。
前記切換ユニットは２極双投継電器を備え、且つ前記給電ユニット１２の陽極及び陰極に電気的に接続される。前記切換ユニットは前記処理ユニット１７により伝送される制御信号に基づいてこれら前記電解ユニット１１の電気性を切り換え、これら前記電解ユニット１１の電気性が切り換えられて（正電気が負電気に切り換えられ、負電気が正電気に切り換えられる）使用されると、これら前記電解ユニット１１上での垢の形成が遅くなり、本考案の使用期限が延長される。
【００２７】
そして、本考案にはＬＥＤ発光ユニット（図示せず）が前記落蓋１０に更に設置される。前記ＬＥＤ発光ユニットは前記処理ユニット１７に電気的に接続され、使用者は前記操作インターフェースユニット１８により前記ＬＥＤ発光ユニットを起動させて照明として作用させるか、反対に、前記操作インターフェースユニット１８により前記ＬＥＤ発光ユニットを停止させることもできる。
【００２８】
（第５実施形態）
図８は本考案の第５実施形態に係る落蓋式水素発生装置を示す図である。本考案はフィルタユニット３１を有するポット３０に結合され、前記落蓋１０が前記ポット３０の上部に設置され、且つ前記ポット３０内の上部に注入される水が前記落蓋１０に設置される電解ユニット１１に接触し、これら前記電解ユニット１１により水分子が電解反応を経て水素及び酸素に分解される。その後、前記フィルタユニット３１により濾過されて水素及び酸素を有する浄水が形成され、前記ポット３０の底部に向けて流される。
【００２９】
上述したように、本考案の落蓋式水素発生装置は、電解ユニットが落蓋に設置されて携帯して使用可能な落蓋式水素発生装置である。このため、使用者は本考案を任意の水が入った容器の上方に設置させ、或いは本考案と水が入った容器とを分離式或いは固定式で結合させる。水が漏れない上に、前記容器及び本考案を逆さに置くことも可能である。以上のように、電解ユニットにより水分子が電解反応を経て水素及び酸素に分解され、使用者がいつでもどこでも水素水或いは高濃度酸素水を飲用でき、利便性が向上する。
【００３０】
本明細書に開示された実施形態は、本考案を限定するものではなく、説明するためのものであり、このような実施形態によって本考案の思想と範囲が限定されるものではない。本考案の範囲は請求の範囲により解釈すべきであり、それと同等の範囲内にある全ての技術は、本考案の権利範囲に含まれるものと解釈すべきである。
【符号の説明】
【００３１】
１０    落蓋
１１    電解ユニット
１１１  上端段体部
１１２  下端段体部
１１３  第一連結部材
１１４  第二連結部材
１２    給電ユニット
１３    ねじ山
１４    係合部材
１５    孔部
１６    チューブ
１７    処理ユニット
１８    操作インターフェースユニット
１９    電源コード
２０    ボトル
２１    瓶の口
２２    対応するねじ山
３０    ポット
３１    フィルタユニット
【図１】
0003203461.tif 000003
【図２Ａ】
0003203461.tif 000004
【図２Ｂ】
0003203461.tif 000005
【図２Ｃ】
0003203461.tif 000006
【図３Ａ】
0003203461.tif 000007
【図３Ｂ】
0003203461.tif 000008
【図３Ｃ】
0003203461.tif 000009
【図４】
0003203461.tif 000010
【図５】
0003203461.tif 000011
【図６】
0003203461.tif 000012
【図７】
0003203461.tif 000013
【図８】
0003203461.tif 000014